(57)【要約】【課題】本発明は、クロマトグラフデータ処理装置を利用するあらゆるユーザに対して対話形式で最適なデータ処理を提示することが可能なインタフェースを提供することを目的とする。【解決手段】クロマトグラフデータ処理装置は、入力部と、液体クロマトグラフ装置からの分析データを表示する表示部と、キーワードと解析方法とが関連付けられたデータベースを格納する記憶部と、前記入力部を介して入力された文章を単語に分解する文章処理部と、前記分解された単語を用いて前記データベースの前記キーワードを検索する検索処理部と、前記検索されたキーワードに対応する少なくとも１つの解析方法を前記表示部に出力するデータ処理部と、を備える。【選択図】図１Ｂ
2014202718.tif 000002
【特許請求の範囲】
【請求項１】
入力部と、
液体クロマトグラフ装置からの分析データを表示する表示部と、
キーワードと解析方法とが関連付けられたデータベースを格納する記憶部と、
前記入力部を介して入力された文章を単語に分解する文章処理部と、
前記分解された単語を用いて前記データベースの前記キーワードを検索する検索処理部と、
前記検索されたキーワードに対応する少なくとも１つの解析方法を前記表示部に出力するデータ処理部と、
を備えることを特徴とするクロマトグラフデータ処理装置。
【請求項２】
請求項１に記載のクロマトグラフデータ処理装置において、
前記データベースは、前記解析方法に関連付けられた条件情報をさらに含み、
前記データ処理部は、前記検索されたキーワードに対応する前記解析方法が複数ある場合、前記条件情報を用いて前記解析方法の絞り込み処理を実行することを特徴とするクロマトグラフデータ処理装置。
【請求項３】
請求項２に記載のクロマトグラフデータ処理装置において、
前記条件情報は、前記分析データにおけるピークに関する条件であることを特徴とするクロマトグラフデータ処理装置。
【請求項４】
請求項１に記載のクロマトグラフデータ処理装置において、
前記データベースは、前記解析方法に関連付けられた質問情報をさらに含み、
前記データ処理部は、複数の解析方法を出力する場合、前記表示部に前記質問情報をさらに出力することを特徴とするクロマトグラフデータ処理装置。
【請求項５】
請求項４に記載のクロマトグラフデータ処理装置において、
前記データ処理部は、前記質問情報に対する入力情報を受け取り、前記入力情報を用いて前記複数の解析方法から１つの解析方法を出力することを特徴とするクロマトグラフデータ処理装置。
【請求項６】
請求項１に記載のクロマトグラフデータ処理装置において、
前記解析方法は、前記分析データにおけるベースラインの引き方に関する方法であることを特徴とするクロマトグラフデータ処理装置。
【請求項７】
請求項１に記載のクロマトグラフデータ処理装置において、
前記解析方法は、前記分析データにおけるピークの同定方法であることを特徴とするクロマトグラフデータ処理装置。
【請求項８】
入力部と表示部と記憶部と文章処理部と検索処理部とデータ処理部とを備えるクロマトグラフデータ処理装置を用いて、液体クロマトグラフ装置からの分析データに対する解析方法を決定する方法であって、
前記記憶部が、キーワードと解析方法とが関連付けられたデータベースを格納しており、
当該方法は、
前記表示部により、前記分析データを表示する表示ステップと、
前記文章処理部により、前記入力部を介して入力された文章を単語に分解する文章処理ステップと、
前記検索処理部により、前記分解された単語を用いて前記データベースの前記キーワードを検索する検索処理ステップと、
前記データ処理部により、前記検索されたキーワードに対応する少なくとも１つの解析方法を前記表示部に出力するデータ処理ステップと、
を含むことを特徴とする方法。
【請求項９】
請求項８に記載の方法において、
前記データベースは、前記解析方法に関連付けられた条件情報をさらに含み、
前記データ処理ステップは、前記検索されたキーワードに対応する前記解析方法が複数ある場合、前記条件情報を用いて前記解析方法の絞り込み処理を実行することを含むことを特徴とする方法。
【請求項１０】
請求項９に記載の方法において、
前記条件情報は、前記分析データにおけるピークに関する条件であることを特徴とする方法。
【請求項１１】
請求項８に記載の方法において、
前記データベースは、前記解析方法に関連付けられた質問情報をさらに含み、
前記データ処理ステップは、複数の解析方法を出力する場合、前記表示部に前記質問情報をさらに出力することを含むことを特徴とする方法。
【請求項１２】
請求項１１に記載のクロマトグラフデータ処理装置において、
前記データ処理ステップは、前記質問情報に対する入力情報を受け取り、前記入力情報を用いて前記複数の解析方法から１つの解析方法を出力することさらに含むことを特徴とする方法。
【請求項１３】
請求項８に記載の方法において、
前記解析方法は、前記分析データにおけるベースラインの引き方に関する方法であることを特徴とする方法。
【請求項１４】
請求項８に記載の方法において、
前記解析方法は、前記分析データにおけるピークの同定方法であることを特徴とする方法。
【請求項１５】
溶離液を送るためのポンプと、
前記ポンプから送られた溶離液に試料を注入するインジェクタと、
前記インジェクタから送られた前記試料に含まれる成分を分離する分離カラムと、
前記分離カラムの温度を制御するカラムオーブンと、
前記分離された成分を検出する検出器と、
前記検出器からの分析データを取得する、請求項１に記載のクロマトグラフデータ処理装置と、
を備えることを特徴とする液体クロマトグラフ装置。
【請求項１６】
記憶部と演算部と表示部と入力部とを備える情報処理装置に、液体クロマトグラフ装置からの分析データに対する解析方法を決定する処理を実行させるためのプログラムであって、
前記記憶部が、キーワードと解析方法とが関連付けられたデータベースを格納しており、
前記演算部に、
前記分析データを前記表示部に表示する処理と、
前記入力部を介して入力された文章を単語に分解する処理と、
前記分解された単語を用いて前記データベースの前記キーワードを検索する処理と、
前記検索されたキーワードに対応する少なくとも１つの解析方法を前記表示部に出力する処理と、
を実行させるためのプログラム。
【発明の詳細な説明】
【技術分野】
【０００１】
本発明は、クロマトグラフデータ処理装置、それを用いた方法、液体クロマトグラフ装置、および、プログラムに関し、特にユーザインターフェースに関するものである。
【背景技術】
【０００２】
近年、クロマトグラフデータ処理装置の高機能化が進み、その操作方法は複雑化している。従来では、これを回避するために、よく使用する機能をピックアップし、操作メニューやアイコンなどを並べることにより各機能の操作性を高めたり、Ｈｅｌｐや取扱説明書で機能の補足説明を行っている。
【先行技術文献】
【特許文献】
【０００３】
【特許文献１】特開２００２−８２９６２号公報
【発明の概要】
【発明が解決しようとする課題】
【０００４】
近年のクロマトグラフデータ処理装置では、データ処理に関して多くの機能が用意されているが、それらの機能を最適に使用するにあたっては、あるレベル以上のクロマトグラムの測定に関する知識を有する必要がある。
【０００５】
したがって、クロマトグラムの測定に関する知識を持ち合わせていないユーザや、操作に不慣れなユーザにとっては目的とする測定結果を得ることができない可能性がある。また、ある程度クロマトグラムの知識を有するユーザでも、どのような条件でデータ処理をすれば良いかがわからない場合もある。このようにクロマトグラムの測定に関する知識の有無に関わらず、最適なデータ処理を決定するのに時間がかかるというのは、クロマトグラフデータ処理装置での特有の課題である。
【０００６】
本発明はこのような状況に鑑みてなされたものであり、クロマトグラフデータ処理装置を利用するあらゆるユーザに対して最適なデータ処理を提示することが可能なインタフェースを提供することを目的とする。
【課題を解決するための手段】
【０００７】
上記課題を解決するために、例えば特許請求の範囲に記載の構成を採用する。本願は上記課題を解決する手段を複数含んでいるが、その一例を挙げるならば、入力部と、液体クロマトグラフ装置からの分析データを表示する表示部と、キーワードと解析方法とが関連付けられたデータベースを格納する記憶部と、前記入力部を介して入力された文章を単語に分解する文章処理部と、前記分解された単語を用いて前記データベースの前記キーワードを検索する検索処理部と、前記検索されたキーワードに対応する少なくとも１つの解析方法を前記表示部に出力するデータ処理部と、を備えるクロマトグラフデータ処理装置が提供される。
【０００８】
また、他の例としては、溶離液を送るためのポンプと、前記ポンプから送られた溶離液に試料を注入するインジェクタと、前記インジェクタから送られた前記試料に含まれる成分を分離する分離カラムと、前記分離カラムの温度を制御するカラムオーブンと、前記分離された成分を検出する検出器と、前記検出器からの分析データを取得する、前記クロマトグラフデータ処理装置と、を備える液体クロマトグラフ装置が提供される。
【０００９】
また、他の例としては、入力部と表示部と記憶部と文章処理部と検索処理部とデータ処理部とを備えるクロマトグラフデータ処理装置を用いて、液体クロマトグラフ装置からの分析データに対する解析方法を決定する方法が提供される。前記記憶部が、キーワードと解析方法とが関連付けられたデータベースを格納している。当該方法は、前記表示部により、前記分析データを表示する表示ステップと、前記文章処理部により、前記入力部を介して入力された文章を単語に分解する文章処理ステップと、前記検索処理部により、前記分解された単語を用いて前記データベースの前記キーワードを検索する検索処理ステップと、前記データ処理部により、前記検索されたキーワードに対応する少なくとも１つの解析方法を前記表示部に出力するデータ処理ステップと、を含む。
【００１０】
また、他の例としては、記憶部と演算部と表示部と入力部とを備える情報処理装置に、液体クロマトグラフ装置からの分析データに対する解析方法を決定する処理を実行させるためのプログラムが提供される。前記記憶部が、キーワードと解析方法とが関連付けられたデータベースを格納している。当該プログラムは、前記演算部に、前記分析データを前記表示部に表示する処理と、前記入力部を介して入力された文章を単語に分解する処理と、前記分解された単語を用いて前記データベースの前記キーワードを検索する処理と、前記検索されたキーワードに対応する少なくとも１つの解析方法を前記表示部に出力する処理と、を実行させる。
【発明の効果】
【００１１】
本発明によれば、クロマトグラフデータ処理装置の習熟度に関係なく、あらゆるユーザに対して、クロマトグラムに対する最適なデータ処理を提示することができる。
【００１２】
本発明に関連する更なる特徴は、本明細書の記述、添付図面から明らかになるものである。また、上記した以外の、課題、構成及び効果は、以下の実施例の説明により明らかにされる。
【図面の簡単な説明】
【００１３】
【図１Ａ】液体クロマトグラフ装置の構成を示す図である。
【図１Ｂ】第１実施例のデータ処理装置の構成を示す図である。
【図２】分析後に表示される画面の一例を示す図である。
【図３Ａ】図２の解析案内ボタンを押した後に表示される画面の一例を示す図である。
【図３Ｂ】データベースにおけるテーブルの一例を示す図である。
【図４】分析者が質問をして解析方法を提示するまでのフローを示す図である。
【図５】分析データに対するベースラインの引き方のパターンを示す図である。
【図６】解析方法を提示する画面の一例を示す図である。
【図７Ａ】分析後に表示される画面の別の例を示す図である。
【図７Ｂ】データベースにおけるテーブルの別の例を示す図である。
【図８】分析データから同定可能なピークを抽出した例を示す図である。
【発明を実施するための形態】
【００１４】
以下、添付図面を参照して本発明の実施例について説明する。なお、添付図面は本発明の原理に則った具体的な実施例を示しているが、これらは本発明の理解のためのものであり、決して本発明を限定的に解釈するために用いられるものではない。
【００１５】
［第１実施例］
図１Ａは、本実施例に係るクロマトグラフデータ処理装置を含む標準的な液体クロマトグラフ装置の構成例を示す。液体クロマトグラフ装置は、複数種類の溶離液１０１、ポンプ１０２、オートサンプラ１０３、カラムオーブン１０４、検出器１０５、及び、データ処理装置１０７を有する。カラムオーブン１０４は、分離カラムとオーブンを有する。データ処理装置１０７は、キーボード、ポインティングデバイス、マイクなどの入力装置１０８と、ディスプレイ、プリンタなどの出力装置１０９とを備える。
【００１６】
複数種類の溶離液１０１は、それぞれ、ポンプ１０２によって吸引され、オートサンプラ１０３に送られる。オートサンプラ１０３では、溶離液にサンプル（試料）が注入される。サンプルは溶離液と共に、カラムオーブン１０４に送液される。カラムオーブン１０４では、サンプルに含まれる各成分が、オーブンによって恒温維持された分離カラムによって分離される。分離された各成分は、検出器１０５によって検出されるとともに、廃液容器１０６に廃棄される。検出器１０５によって得られた検出信号は、データ処理装置１０７に送られる。
【００１７】
データ処理装置１０７は、クロマトピークの高さ及び面積などを算出し、各成分の測定値を保存する。各成分の測定値は、出力装置１０９に出力される。入力装置１０８は、分析者が求める最適なデータ処理あるいは設定の提示のための入力に用いられる。分析者は、入力装置１０８を介して、分析条件及びサンプルの設定に関する入力を行なう。また、出力装置１０９のディスプレイには、各種の入力画面、操作画面、出力画面が表示される。
【００１８】
データ処理装置１０７は、液体クロマトグラフ装置の各構成要素を制御するものである。データ処理装置１０７は、ポンプ１０２を制御して溶離液１０１の流量を調節し、オートサンプラ１０３を制御して、サンプルの注入量を調節し、カラムオーブン１０４を制御して、オーブンの温度を調節する。
【００１９】
データ処理装置１０７は、例えば、汎用のコンピュータ（情報処理装置）により構成されている。データ処理装置１０７は、中央演算処理装置と、補助記憶装置と、主記憶装置とを備えている。例えば、中央演算処理装置は、ＣＰＵ（Central Processing Unit）などのプロセッサ（又は演算部ともいう）で構成されている。例えば、補助記憶装置はハードディスクであり、主記憶装置はメモリである。
【００２０】
図１Ｂは、本実施例に係るデータ処理装置の構成例を示す。データ処理装置１０７は、制御部１１０と、文章処理部１１１と、検索処理部１１２と、データ処理部１１３と、記憶部１１４とを備える。制御部１１０は、上述したように、液体クロマトグラフ装置の各構成要素を制御する。
【００２１】
文章処理部１１１は、分析者が入力した文章を受け取り、文章を単語毎に分解する。文章処理部１１１は、公知の形態素解析処理などを用いればよい。検索処理部１１２は、分解された単語をキーワードとして、以下で説明するデータベースを検索する。データ処理部１１３は、分析データまたは測定結果をデータ処理する。記憶部１１４は、上述した記憶装置により実現される。記憶部１１４は、単語と解析方法（データ処理方法）とが関連付らけれて格納されているデータベースを格納している。
【００２２】
なお、上述した各処理部１１１、１１２、１１３は、コンピュータ上で実行されるプログラムの機能として実現されてもよい。すなわち、以下で説明する各処理部１１１、１１２、１１３の処理は、プログラムコードとしてメモリなどの記憶装置に格納し、ＣＰＵ（Central Processing Unit）などのプロセッサが各プログラムコードを実行することによって実現されてもよい。
【００２３】
図２は、分析後に表示される、出力装置１０９における画面の一例を示す。画面は、データ再解析ボタン２０１と、解析案内ボタン２０２と、グラフ表示部２０３とを備える。分析者は、グラフ表示部２０３に表示される分析データを確認し、データの再解析を行う場合にはデータ再解析ボタン２０１を押す。この場合、分析者は、別の画面で分析方法あるいは解析方法を設定して、データ処理を行う。
【００２４】
ここで、分析者がどのような解析方法あるいは分析方法を設定してよいかわかない場合、解析案内ボタン２０２を押す。データ処理装置１０７は、解析案内ボタン２０２を押すと、解析方法の検索画面を表示する。
【００２５】
図３Ａは、図２の解析案内ボタン２０２を押した後に表示される画面を示す。画面は、質問欄３０１と、検索ボタン３０２と、分析データ表示部３０３とを有する。分析データ表示部３０３には、分析データが表示される。
【００２６】
分析者が、分析データの解析方法を調べたい場合、入力装置１０８を介して質問欄３０１に解析方法に関する質問を入力する。質問文は、キーボードによる入力、または、音声によって入力ができる。なお、分析者は、マウスなどによって、分析データ表示部３０３における分析データ上において解析したい範囲を指定することもできる。質問欄３０１に質問を入力した後、検索ボタン３０２を押すことにより、解析方法の検索を開始する。
【００２７】
次に、解析方法の検索のためのデータベースについて説明する。データベースには、キーワードと、解析方法と、解析方法ごとの適した条件と、第２の質問とが関連付けられて登録されている。図３Ｂは、データベースにおけるテーブルの一例を示す図である。なお、以下では、本実施例で使用される情報が、テーブル構造として表現されているが、必ずしもテーブルによるデータ構造で表現されていなくても良い。
【００２８】
テーブル３１０は、キーワード３１１と、方法３１２と、条件３１３と、質問３１４とを構成項目として含んでいる。キーワード３１１には、少なくとも１つの単語が格納される。方法３１２には、分析データに対する解析方法（データ処理方法）などが格納される。条件３１３には、方法３１２に格納されている解析方法を実行する際の条件が格納される。なお、図３Ｂでは、分かりやすくするために条件を文章で記載しているが、実際には、条件を示す関係式などが格納されている。データ処理装置１０７は、関係式を用いて条件を判定することができる。質問３１４には、方法３１２を決定した後に出力される第２の質問が格納される。
【００２９】
図３Ｂの例では、ベースラインの引き方についてのテーブルの一例が示されている。本実施例の場合、ベースラインの引き方として「接線」、「垂線」、「前方水平線」、「後方水平線」がある。
【００３０】
キーワード３１１には、「ベースライン」と「引く」という２つの単語が登録されている。また、キーワード３１１に対応する方法３１２として、「接線法」、「垂線法」、「前方水平線」、及び、「後方水平線」が登録されている。また、方法３１２に対応する条件３１３も登録されている。「ピーク近接」とは、図３Ａに示すように、２つのピークが近接しているという条件である。「接線法」では、この条件に加えて、「ピークの高さの差が大きい」という条件も登録されている。これは、図３Ａに示すように、隣接するピーク１、２の高さの差が大きいという条件である。また、「接線法」では、質問３１４として、「目的成分はどちらですか？」という質問文が登録されている。
【００３１】
図４は、分析者が質問をして解析方法を提示するまでのフローを示す。以下では、図３Ａ及び図３Ｂの例でのフローとして説明する。
【００３２】
図３Ａの検索ボタン３０２を押して検索を開始すると、ステップ４０１において、文章処理部１１１は、質問欄３０１に入力された文章を単語に分解する。ここでは、入力された文章が、「ベースライン」及び「引く」に分解される。
【００３３】
次に、ステップ４０２において、検索処理部１１２は、「ベースライン」及び「引き方」の単語を基に、データベースのテーブル３１０を検索する。なお、ここでは、「ベースライン」及び「引き方」の完全一致により検索しているが、検索の仕方は部分一致など適宜変更してもよい。また、検索処理部１１２は、キーワードが足らない場合は、候補として残りのキーワードを提示してもよい。
【００３４】
次に、ステップ４０３において、データ処理部１１３は、解析対象である分析データを参照し、指定された範囲の分析データに基づき、条件を絞り込む。データ処理部１１３は、解析対象である図３Ａの分析データを参照し、２つのピーク１及びピーク２を抽出する。ピークの抽出法は、所定の閾値以上をピークと判定するなど、既存の手法を用いればよい。また、データ処理部１１３は、ピーク１及びピーク２の前後のベースラインの情報も取得する。
【００３５】
図３Ａの例の場合、ピーク２はピーク１のテーリング上にあり、ピーク１及びピーク２の前後のベースラインの大きさに変動は無い。データ処理部１１３は、これらの情報を元にテーブル３１０の条件３１３を参照し、解析方法の絞り込み処理を実行する。結果として、ベースラインの引き方として、「接線法」及び「垂線法」に絞り込まれる。このように、複数の解析方法が候補として抽出された場合でも、条件３１３の情報によって解析方法を絞り込んだうえで出力することが可能となる。ここでは、「接線法」及び「垂線法」が定量するうえで良い方法となる。また、ここで「接線」と「垂線」の引き方については、さらに４通りの方法を示すことができる。なお、ここでは、データ処理部１１３は、「接線法」及び「垂線法」に絞り込むが、ピークの高さの差を算出して、さらに方法を絞り込んでもよい。
【００３６】
次に、ステップ４０４において、データ処理部１１３は、ステップ４０３で絞り込んだ方法について具体的な引き方を出力する。図３Ａの例では、ピーク１とピーク２の２つのピークがあり、かつ、解析方法が「接線法」及び「垂線法」の２つに絞り込まれたため、データ処理部１１３は、４通りの引き方を画面上に出力する。
【００３７】
図５は、分析データに対するベースラインの引き方のパターンを示す。グラフ５０１では、ピーク１の後からピーク２の後まで接線でベースラインを引くパターンを示す（ピーク２側に接線を引くパターン）。また、グラフ５０２では、ピーク１の前からピーク２の前まで接線でベースラインを引くパターンを示す（ピーク１側に接線を引くパターン）。また、グラフ５０３では、ピーク１の前からピーク２の後まで水平にベースラインを引き、ピーク１とピーク２の谷から垂線を降ろしてベースラインを決めるパターンを示す（垂線法で引くパターン）。また、グラフ５０４では、グラフ５０１、５０２、５０３に当てはまらない引き方として、ピーク１の前からピーク２の後まで水平にベースラインを引くパターンを示す（水平に引くパターン）。これらのパターンのどれが最も良い方法であるかは、図３Ａの質問欄３０１で入力した文章からは決められないため、データ処理部１１３は、これらの４パターンを画面上に出力する。
【００３８】
次に、ステップ４０５において、データ処理部１１３は、第２の質問を提示する。ここでは、データ処理部１１３が、「目的成分はどちらですか？」という質問を画面上に出力する。このように、解析方法が１つに絞りきれない場合に第２の質問をすることにより、最適な解析方法を決定するための条件を分析者からさらに入力させることができる。また、このようなインタフェースにより対話形式で最適な解析方法の決定が可能となる。
【００３９】
その後、ステップ４０６において、分析者が、質問に対する回答を入力装置１０８を介して入力し、データ処理部１１３は、最適な解（解析方法）を出力する。例えば、図３Ａの例において、目的成分がピーク２の場合、分析者が「ピーク２」と入力する。ここで、ピーク２はピーク１に比べて小さいため、ピーク１の後からピーク２の後まで接線でベースラインを引くパターンが最も良い定量方法となる。例えば、このような条件もテーブル３１０の条件３１３にあらかじめ登録されているとする。データ処理部１１３は、条件３１３を再度参照して、「ピーク２側に接線を引くパターン」を最適な解析方法として提示する。
【００４０】
図６は、解析方法を提示する画面の一例を示す。画面は、第１の質問欄６０１と、結果欄６０２と、第２の質問欄６０３と、入力欄６０４と、最終結果欄６０５とを備える。第１の質問欄６０１には、図３Ａの質問欄３０１で入力した文章が表示される。
【００４１】
また、結果欄６０２には、質問に対する回答を提示する。本実施例の場合、ベースラインを引くパターンとして４パターンあるため、その４パターンをすべて提示する。ここでは、文章で４パターンを提示しているが、文章の代わりに、図５で示すような画像を表示してもよい。
【００４２】
本例では、結果欄６０２には、２パターン以上回答が出力されることになるため、第２の質問欄６０３には、目的成分を問う第２の質問「目的成分はどちらですか？」が表示される。この質問に対して、分析者は入力欄６０４に目的成分を入力する。目的成分が「ピーク２」の方である場合、「ピーク２」と入力される。これに対して、再度テーブル３１０の条件が検索されることにより、最終結果欄６０５には、「ピーク２側に接線を引くパターン」が表示される。これにより、分析者は、最適な解析方法を得ることができる。
【００４３】
本実施例によれば、クロマトグラフデータ処理装置の習熟度に関係なく、あらゆるユーザに対して、クロマトグラムに対する最適なデータ処理を提示することができる。したがって、クロマトグラフデータ処理装置の習熟度に関係なく、ユーザは、クロマトグラフデータ処理装置を容易に操作することができる。また、従来のＨｅｌｐによる参照などでは目的の回答を得るのに時間がかかる、あるいは、回答に到達できないという課題があるが、本実施例では、対話形式のインタフェースであるため、容易に最適な解析方法を得ることができる。
【００４４】
［第２実施例］
図７Ａは、分析後に表示される、出力装置１０９における画面の別の例を示す。図７Ａは、図２の解析案内ボタン２０２を押した後に表示される画面である。
【００４５】
画面は、図３Ａと同様に、質問欄７０１と、検索ボタン７０２と、分析データ表示部７０３とを有する。分析データ表示部７０３には、分析データが表示される。図７Ａの分析データでは、第１実施例のようなピークがテーリングにのっているデータではなく、ピークが綺麗に分かれている。この場合、第１実施例のようにベースラインの引き方の検討をする必要はなく、直接ピークを同定する作業を行うこととなる。このようなデータにおいて、分析者が目的成分を指定し、ピークを同定したい場合に、質問欄７０１に質問として「ピークの同定方法は」と入力し、検索ボタン７０２を押すとする。
【００４６】
図７Ｂは、データベースにおけるテーブルの別の例を示す。キーワード３１１には、「ピーク」と「同定方法」という２つの単語が登録されている。また、キーワード３１１に対応する方法３１２として、「ピーク抽出」が登録されている。また、方法３１２に対応する条件３１３として、「ピークが分かれている」が登録されている。図７Ｂでは、分かりやすくするために条件を文章で記載しているが、実際には、条件を示す関係式などが格納されている。例えば、ピークが分かれているかは、抽出したピークの始点や終点の位置関係などで判定することができる。また、質問３１４として、「目的成分を指定して下さい。」という文が登録されている。
【００４７】
図７Ａ及び図７Ｂの例を用いて、データ処理装置１０７の処理の流れを説明する。まず、文章処理部１１１は、質問欄７０１に入力された文章を単語に分解する。ここでは、入力された文章が、「ピーク」及び「同定方法」に分解される。
【００４８】
次に、検索処理部１１２は、「ピーク」及び「同定方法」の単語を基に、テーブル３１０を検索する。次に、データ処理部１１３は、解析対象である分析データを参照する。データ処理部１１３は、解析対象である分析データを参照し、自動的にピークを抽出する。データ処理部１１３は、条件３１３を参照し、抽出したピークが分かれているかを判定する。本例では、ピークが分かれているため、抽出したピークを出力する。
【００４９】
図８は、分析データから同定可能なピークを抽出した例を示す。データ処理部１１３は、抽出した３つのピークを画面に出力する。例えば、データ処理部１１３は、図８の画像８０１を画面上に出力する。また、データ処理部１１３は、「目的成分を指定して下さい。」という指示を画面上に出力する。分析者は、３つのピーク中から目的とする成分に合わせて、ピークを指定する。データ処理装置１０７は、指定されたピークの情報を出力する。その後、データ処理装置１０７は、指定されたピークから成分の同定・定量を行う。これにより、分析者が意図する成分の解析を行うことができる。
【００５０】
以上から、クロマトグラフデータ処理装置の習熟度に関係なく、あらゆるユーザが、データ処理についての質問を入力でき、入力した質問と分析によって得られたデータから最適なデータ処理を対話形式で提示することができる。
【００５１】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることがあり、また、ある実施例の構成に他の実施例の構成を加えることも可能である。また、各実施例の構成の一部について、他の構成の追加・削除・置換をすることが可能である。
【００５２】
上述した実施例では、複数の出力候補（解析方法あるいはピーク）がある場合、データ処理部１１３がさらなる質問を出力するが、キーワードや条件から１つの解析方法やピークが決定される場合は、このような処理を行わなくてもよい。
【００５３】
また、上述したように、各処理部１１１、１１２、１１３は、実施例の機能を実現するソフトウェアのプログラムコードで実現してもよい。この場合、プログラムコードを記録した記憶媒体を情報処理装置に提供し、その情報処理装置（またはＣＰＵ）が記憶媒体に格納されたプログラムコードを読み出す。この場合、記憶媒体から読み出されたプログラムコード自体が前述した実施例の機能を実現することになり、そのプログラムコード自体、およびそれを記憶した記憶媒体は本発明を構成することになる。このようなプログラムコードを供給するための記憶媒体としては、例えば、フレキシブルディスク、ＣＤ−ＲＯＭ、ＤＶＤ−ＲＯＭ、ハードディスク、光ディスク、光磁気ディスク、ＣＤ−Ｒ、磁気テープ、不揮発性のメモリカード、ＲＯＭなどが用いられる。また、各処理部１１１、１１２、１１３は、それらの一部や全部を、例えば、集積回路で設計する等によりハードウェアで実現してもよい。
【００５４】
また、図面における制御線や情報線は、説明上必要と考えられるものを示しており、製品上必ずしも全ての制御線や情報線を示しているとは限らない。全ての構成が相互に接続されていてもよい。
【符号の説明】
【００５５】
１０１    ：溶離液
１０２    ：ポンプ
１０３    ：オートサンプラ
１０４    ：カラムオーブン
１０５    ：検出器
１０６    ：廃液容器
１０７    ：データ処理装置
１０８    ：入力装置
１０９    ：出力装置
１１０    ：制御部
１１１    ：文章処理部
１１２    ：検索処理部
１１３    ：データ処理部
１１４    ：記憶部
【図１Ａ】
2014202718.tif 000003
【図１Ｂ】
2014202718.tif 000004
【図２】
2014202718.tif 000005
【図３Ａ】
2014202718.tif 000006
【図３Ｂ】
2014202718.tif 000007
【図４】
2014202718.tif 000008
【図５】
2014202718.tif 000009
【図６】
2014202718.tif 000010
【図７Ａ】
2014202718.tif 000011
【図７Ｂ】
2014202718.tif 000012
【図８】
2014202718.tif 000013